【手続補正書】
【提出日】平成16年6月3日(2004.6.3)
【手続補正１】
【補正対象書類名】明細書
【補正対象項目名】特許請求の範囲
【補正方法】変更
【補正の内容】
【特許請求の範囲】
【請求項１】
変動可能な識別情報を表示可能であるとともに、変動した識別情報が特定の態様で停止することにより遊技が大当たりとなったことを示す表示装置と、
前記識別情報の変動が停止する前に表示される複数種類のリーチ表示を各リーチ表示毎に割り当てられた確率に基づいて前記表示装置に表示させる通常リーチ表示手段と、
を備えた遊技機において、
前記複数種類のリーチ表示を各リーチ表示毎に割り当てられた確率に基づかないで表示する選択規制リーチ表示手段と、
前記選択規制リーチ表示手段によって表示されるリーチ表示を遊技者に選択させる操作手段と、を備え、
前記操作手段の操作によって、あらかじめ選択されたリーチ表示を行う選択規制モードへ移行し、当該選択規制モード中は、前記選択規制リーチ表示手段によってリーチ表示を行うことを特徴とする遊技機。
【請求項２】
前記リーチ表示のサンプル画面を前記表示装置に表示可能なリーチ表示サンプル画面表示手段を備え、
前記リーチ表示サンプル画面表示手段は、前記操作手段の操作によって前記リーチ表示のサンプル画面を表示し、該サンプル画面の表示に基づいて、遊技者がリーチ表示を選択することを特徴とする請求項１に記載の遊技機。
【請求項３】
前記選択規制リーチ表示手段によるリーチ表示の画面のサイズを、前記通常リーチ表示手段によるリーチ表示の画面のサイズと異ならせたことを特徴とする請求項１又は２に記載の遊技機。
【請求項４】
前記選択規制リーチ表示手段によるリーチ表示の画面に、選択規制リーチ表示手段によるリーチ表示であることを明示する表示を含ませたことを特徴とする請求項１から３のいずれか一つに記載の遊技機。
【手続補正２】
【補正対象書類名】明細書
【補正対象項目名】０００５
【補正方法】変更
【補正の内容】
【０００５】
【課題を解決するための手段】
第１の発明では、変動可能な識別情報を表示可能であるとともに、変動した識別情報が特定の態様で停止することにより遊技が大当たりとなったことを示す表示装置と、前記識別情報の変動が停止する前に表示される複数種類のリーチ表示を各リーチ表示毎に割り当てられた確率に基づいて前記表示装置に表示させる通常リーチ表示手段と、を備えた遊技機において、前記複数種類のリーチ表示を各リーチ表示毎に割り当てられた確率に基づかないで表示する選択規制リーチ表示手段と、前記選択規制リーチ表示手段によって表示されるリーチ表示を遊技者に選択させる操作手段と、を備え、前記操作手段の操作によって、あらかじめ選択されたリーチ表示を行う選択規制モードへ移行し、当該選択規制モード中は、前記選択規制リーチ表示手段によってリーチ表示を行う。
【手続補正３】
【補正対象書類名】明細書
【補正対象項目名】０００６
【補正方法】変更
【補正の内容】
【０００６】
第２の発明では、前記リーチ表示のサンプル画面を前記表示装置に表示可能なリーチ表示サンプル画面表示手段を備え、前記リーチ表示サンプル画面表示手段は、前記操作手段の操作によって前記リーチ表示のサンプル画面を表示し、該サンプル画面の表示に基づいて、遊技者がリーチ表示を選択する。
【手続補正４】
【補正対象書類名】明細書
【補正対象項目名】０００７
【補正方法】変更
【補正の内容】
【０００７】
第３の発明では、前記選択規制リーチ表示手段によるリーチ表示の画面のサイズを、前記通常リーチ表示手段によるリーチ表示の画面のサイズと異ならせた。
【手続補正５】
【補正対象書類名】明細書
【補正対象項目名】０００８
【補正方法】変更
【補正の内容】
【０００８】
第４の発明では、前記選択規制リーチ表示手段によるリーチ表示の画面に、選択規制リーチ表示手段によるリーチ表示であることを明示する表示を含ませた。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】変更
【補正の内容】
【００２４】
【発明の作用および効果】
第１の発明では、通常リーチ表示手段によるリーチ表示では、割り当てられた確率が小さく通常は表示される機会のないリーチ表示であっても、遊技者は、操作手段を操作することによって、自分の意志で選択規制リーチ手段によるリーチ表示をさせることができるので、どのようなリーチ表示の種類があるかを知ることができ、遊技の全体像を把握できるとともに、遊技の興趣が高まる。
【手続補正２２】
【補正対象書類名】明細書
【補正対象項目名】００２５
【補正方法】変更
【補正の内容】
【００２５】
第２の発明では、リーチ表示のサンプル画面を表示装置に表示可能なリーチ表示サンプル画面表示手段を備え、操作手段の操作によって前記リーチ表示のサンプル画面を表示し、表示されたサンプル画面に基づいて、遊技者がリーチ表示を選択するので、表示装置に表示されたサンプル画面に基づいて好みのリーチを選択でき、遊技の興趣が高まる。
【手続補正２３】
【補正対象書類名】明細書
【補正対象項目名】００２６
【補正方法】変更
【補正の内容】
【００２６】
第３の発明では、選択規制リーチ手段によるリーチ表示は、通常リーチ手段によるリーチ表示とサイズが異なるので、表示されている画面が選択規制リーチ手段によるものであるか、そうでないかを一目で見分けることができ、遊技者に混乱を与えることはない。
【手続補正２４】
【補正対象書類名】明細書
【補正対象項目名】００２７
【補正方法】変更
【補正の内容】
【００２７】
第４の発明では、選択規制リーチ表示手段によるリーチ表示には、選択規制リーチ表示手段によるものであることを明示する表示がなされるので、表示されている画面が選択規制リーチ手段によるものであるか、そうでないかを一目で見分けることができ、遊技者に混乱を与えることはない。
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】